(57)【要約】【課題】同型で同一寸法体系に属するカップ容器群の中にあっては、寸法にバラツキのあるそれぞれのカップ容器の頂部がカップ容器保持体の開放端面から突出する量のバラツキを一定の狭い範囲内に収束するように調整可能にすると同時に、同型で異なる寸法体系に属するカップ容器に対しても単一のホルダーで共用を可能にすること。【解決手段】第１は、カップ容器を保持する保持体の上部に両端面が開放された着脱自在で交換可能な調整リングを嵌合させた。第２は、保持体の内周面と調整リング外周面との間に高さ調整機構を設けた。【選択図】図１
2008179368.tif 000002
【特許請求の範囲】
【請求項１】
カップ食品を収納する保持体と前記保持体の上部内周面又は上部外周面の何れかに嵌合する両端が開放された着脱自在の調整リングとで構成されたことを特徴とするカップ食品ホルダー。
【請求項２】
前記調整リングの中心を通る端面に直角な平面で切断した断面の形状が、端面に平行な中心線に対して非対称に形成されたことを特徴とする請求項１に記載のカップ食品ホルダー。
【請求項３】
前記保持体と前記調整リングとの間に高さ調整機構を設けたことを特徴とする請求項１又は２に記載のカップ食品ホルダー。
【請求項４】
前記保持体に係止する蓋を設けたことを特徴とする請求項１〜３の何れかに記載のカップ食品ホルダー。
【請求項５】
前記蓋の裏面に押圧手段を講じたことを特徴とする請求項1〜４の何れかに記載のカップ食品ホルダー。押圧手段には、凸面状又はディスク状又は環状の押圧体を蓋の内部に設ける手段及び蓋の内側に押圧部を一体的に成形した蓋を含むものとする。
【請求項６】
前記保持体は前記調整リングとは有意に異なる交換リングを有することを特徴とする請求項１〜５の何れかに記載のカップ食品ホルダー。
【発明の詳細な説明】
【技術分野】
【０００１】
この発明は、収納するカップ食品容器の高さ調整を可能とする着脱自在で交換可能な調整リングを設けたカップ食品ホルダーに関する。
【背景技術】
【０００２】
従来、多数のカップ食品メーカーが多種多様なカップ食品を提供している。カップ食品ホルダー使用の目的はカップ食品を快適に食せる環境の確保であり、生活雑貨として利便性は勿論のこと小型化が要求される。
【０００３】
カップ食品の容器（以後カップ容器と略称する）の形状はカップ型、丼型そして箱型の３種類の型に大別され、更にそれらは通称標準サイズ、大盛サイズ、ミニサイズ及びその他のサイズの寸法体系に概ね分けられる。
【０００４】
このような現状において、単一のカップ食品ホルダーで全てのサイズのカップ容器に対応することは不可能といえる。そこで先ず最も流通量が多いカップ型のカップ食品に注目するならば、その容器は仕様的に標準サイズと大盛サイズ及びミニサイズの３種類に絞り込むことができる。特に、前記標準サイズ仕様のカップ容器の場合には頂部から任意の位置までの形状を共通とし、その下方部分を底部まで切り離した亜流サイズの容器が存在し、麺類を筆頭にスープや味噌汁、雑炊その他多種多様のカップ食品に使用されているため、標準サイズのカップ容器に対応可能なホルダーは応用範囲が極めて広くその存在意義は大きい。
【０００５】
但し、カップ容器は一見同型同サイズであっても材質やメーカーによって高さ及び外径の寸法が微妙に異なり、その標準サイズに限定してもその中にバラツキが存在し、単一のホルダー単体で全てに対応するのは困難といえる。それに対応すべく標準サイズの容器には３〜５ｍｍの高さのバラツキがあることを前提とし、本出願人は蓋体に設けた弾性体でカップ容器の頂部を押圧しつつ蓋体がホルダー本体に係止する高さの位置調整を可能にしたカップ麺ホルダーを特開２００６−３１５７６１として既に提案した。
【０００６】
前記提案では、カップ麺容器とカップ麺ホルダーが嵌合する位置の直径を先ず特定し固定値として設定しており、この寸法値で製作されたホルダーを使用する限り収納可能な如何なるカップ麺容器に対しても嵌合部の直径は一定になる。カップ麺容器の頂部が環状の嵌合部より上方に突出する量（以後、嵌合部上方突出量と略称する）はカップ麺容器の寸法によるバラツキであって、この値を３〜５ｍｍに想定した前記特開２００９−３１５７６１では、本体にロック機構を介して係止する蓋体の深さに余裕をもたせて蓋体の本体に対する締付け摺動可能距離を長く取り、収納するカップ麺容器の高さに応じて係止位置を任意に選択可能とし、カップ麺容器の高さ寸法のバラツキを吸収している。但し、全ての嵌合部上方突出量に対応するためには嵌合部上方突出量が最大となるカップ麺容器の高さに合わせた深さの蓋体が必要になる。従って、日用雑貨に要求される小型であって標準から大きくずれた寸法のカップ麺容器にも対応可能なホルダーを実現するためには、バラツキのあるカップ麺容器の高さそのものを一定の狭い範囲内に抑える調整手段が必要不可欠の課題として残されている。
【０００７】
又、カップ容器には通常大盛サイズ、標準サイズ及びミニサイズが流通しており、一般消費者がそれらに対して専用のホルダーを所有することは保管上の煩わしさもあり、通常は使用頻度の高いサイズのホルダーを使用し、必要に応じて他のサイズ用のホルダーとして共用可能であることが最も望ましい形態といえる。
【発明の開示】
【発明が解決しようとする課題】
【０００８】
そこで、この発明が解決しようとする課題は、同型で同一寸法体系に属するカップ容器群の中にあっては、寸法にバラツキのあるそれぞれのカップ容器の頂部がカップ容器保持体の開放端面から突出する量のバラツキを一定の狭い範囲内に収束するように調整可能にすると同時に、同型で異なる寸法体系に属するカップ容器に対しても単一のホルダーで共用を可能にすることにある。
【０００９】
なお、標準サイズ、大盛サイズ及びミニサイズ等は同型の中の寸法体系の違いよるものであり解決すべき課題は共通である。従って、以後の説明では便宜上カップ型の標準サイズに沿って説明する。なお、ホルダーはカップ食品の容器を保持するものであり、厳蜜に表現するならばカップ容器ホルダーが正確と思われるが、用途や目的を容易に連想し易いこと、又一般通念と照らし合せても利用者の理解は得られ誤解は生じないと思われること等から本発明ではカップ食品ホルダーと表現する。なお、本説明の中では単にホルダーと略称する場合もあるが同一の物である。
【課題を解決するための手段】
【００１０】
以上の課題を解決する手段として第１の発明は、カップ容器を保持する保持体の上部に両端面が開放された着脱自在の調整リングを嵌合させた。調整リングの断面の形状には中心を通る端面に直角な平面で切断した時に、端面に平行な中心線に対して上下で対称になる形状と非対称になる形状がある。以後の説明では前記のような形状を断面が対称、断面が非対称のように表現する。なお、本説明の中で断面の形状と表現するのは、カップ容器の保持に関係する部分の形状をさすものであり、目的を異にして突設された小突起や凹状に形成された面等の部分は除外するものとする。
【００１１】
寸法体系が異なるカップ容器に対応する専用の調整リングの寸法はそれぞれ当然異なるが、標準サイズ、大盛サイズ、ミニサイズ及びその他の寸法体系相互について論じる場合にはそれぞれの寸法体系専用の調整リングは全て第１の調整リングと称し、特定の寸法体系に属する保持体に嵌合して他の寸法体系に属するカップ容器を保持可能に形成した交換用の調整リングに対して第２から任意に序列を付すものとする。本説明では便宜上標準サイズを基準としているので、標準サイズ用の保持体に装着するミニサイズ用、大盛サイズ用、その他のサイズ用の交換用の調整リングに対して順に第２〜第４を付す。従って、大盛サイズ専用の調整リングであっても大盛サイズ専用の保持体に嵌合させる場合においては第１の調整リングであり、特に他と相互について論ずる場合以外は単に一般総称として調整リングと表現するものとする。又、第２以下の序列には絶対的優先順位はなく、指定基準を設ければ任意に指定できるものであり前記指定は本説明の中に限定されるものである。
【００１２】
調整リングの内周面の形状は無数に連続した同心円で形成されるが、カップ容器を調整リングに嵌合させると前記カップ容器の外周面を形成する外周円が前記調整リングの内周面を形成する無数の内周円のうち最初に出会う円で嵌合する。
【００１３】
調整リングの断面が対称の場合、前記調整リングの何れの端面を上方にして保持体に嵌合させてもカップ容器の外周面と調整リングの内周面との嵌合関係に変化はなく、実現する嵌合状態は位置、直径共に共通の１種類のみである。
【００１４】
調整リングの形状が非対称の場合、カップ容器の外周面と調整リングの内周面との間で実現する嵌合は端面の方向により２種類の異なる嵌合状態が実現する。
【００１５】
なお、保持体の形状は外観がコップ状または略円筒状であれば底部の有無及び取っ手の有無は本発明では問わないものとする。又、嵌合円は嵌合する場所によっては嵌合縁、嵌合円の直径は嵌合部直径、状況に応じて嵌合部内径又は嵌合部外径のように表現する。
【００１６】
課題を解決する手段として第２の発明は、保持体の内周面と調整リング外周面との間に高さ調整機構を設けた。調整リングは保持体の上部、即ち、保持体の底部を基準とした高い位置に係止するが、前記高さ調整とは保持体を基準にした調整リングの高さ方向の距離調整を意味する。
【発明の効果】
【００１７】
第１の発明によれば、収納するカップ容器とホルダー側との間に実現する嵌合の状態を変えることが可能になる。
【００１８】
嵌合状態の第１は、調整リングが保持体に嵌合している状態でカップ容器を収納する場合であり、嵌合はカップ容器と調整リングとの間に実現する。嵌合状態の第２は、前記調整リングを保持体から取外した状態でカップ容器を収納する場合であり、嵌合はカップ容器と保持体との間に実現する。嵌合状態は前記調整リングの断面の形状が対称、非対称によっても変わるため、保持体と調整リングの寸法及び形状を予め綿密に設定することにより期待する嵌合状態を任意に実現することが可能になる。
【００１９】
本出願人はカップ容器の端面突出量のバラツキが３〜５ｍｍの範囲に集中する第１グループとその範囲から外れる第２グループに大別し、嵌合部の直径設定と嵌合部の保持体端面からの位置設定を第１グループに合わせた。多数のサンプルを元に保持体の開口部の直径、嵌合部の直径及び嵌合部の端面からの距離、及び高さなどに対して最適寸法値を特定すると、前記第１グループと第２グループの端面突出量の均衡化調整が容易に可能となる。
【００２０】
第２の発明によれば、調整リングがカップ容器との間に形成する嵌合部の保持体に対する高さを調整することが可能になる。前記調整リングの内周面に加工形成された嵌合部は設定された位置に固定されるが、調整リング自体の保持体に対する高さ調整を介して間接的に前記嵌合部の保持体に対する高さ調整が可能になる。
【発明を実施するための最良の形態】
【００２１】
第１の発明の調整リングの断面が対称になる場合の一実施形態を図１に示す。
図１（ａ）はカップ型の保持体１と上部内周面に嵌合する円筒状の調整リング２の組立て分解を示す斜視図である。前記保持体1の内周面で前記調整リング２の両端面間の幅だけ下方には前記調整リング２の設置部として輪状の段差部１１０を設けてある。
【００２２】
図１（ｂ）は保持体１と調整リング２を組み合わせた斜視図を示すもので、前記調整リング２の外周面は前記保持体１の内周面に両者の上部端面が一致するように嵌合する。
【００２３】
図１（ｃ）は保持体１にカップ容器３を収納した状態を表す斜視図で、図１（ｄ）はカップ容器３の外周面と前記調整リング２の嵌合状態を部分的に拡大した断面図である。細いハッチング部分が保持体１、太いハッチング部分が調整リング２で破線部分がカップ容器３を示す。カップ容器３の外周面は、前記調整リング２の内周面上端の内周縁を嵌合部とし、前記カップ容器３の頂部３１０は嵌合部である前記保持体１および前記調整リング２の端面から突出する。この場合には嵌合部上方突出量と端面上方突出量が一致する。
【００２４】
図１（ｅ）は調整リングを取外した状態の断面図を示す。カップ容器３は保持体１の内周面上端の内周縁で嵌合している。前記調整リングの厚み分直径が広がり、保持体１の開口端面の直径はホルダーとして最大の嵌合直径になるためカップ容器３は下方に大きく落ち込む状態になることを示している。
【００２５】
図１（ｆ）は調整リング２の使い分けを明示するための断面図である。図中実線がサイズの大きいカップ容器３０１で前記調整リング２の厚みの分だけ嵌合部の直径が大きい保持体１の上端内周縁に嵌合しており、サイズの小さいカップ容器３０２は破線で示した調整リング２の上端内周縁に嵌合していることを示す。図の中で、破線のハッチングで示した調整リング２は保持体１に嵌合し厚みの幅の輪状の段差部１１０に設置されており、設定寸法次第では前記段差部１１０の内周縁をカップ容器３０１との嵌合部に設定することも可能である。
【００２６】
従って、図１（ｆ）はカップ容器の頂部付近の直径が大きい場合には調整リングを取外して嵌合直径が大なる状態にすることにより端面上方突出量を下げ、前記調整リング２を使用した場合のカップ容器の端面上方突出量に均衡させることが可能であることを示すもので、カップ容器の外径サイズに応じて前記調整リング２の着脱を使い分けることでホルダーとしての直径を調整しカップ容器の高さ調整が可能になることを示すものである。
【００２７】
断面が対称になる円筒以外の例を図１（ｇ）〜（ｊ）に示す。（ｇ）は端面に嵌合縁を形成し円筒形と全く同様な作用を示す。（ｈ）は中間部が円弧状に盛り上がった形状をしており、カップ容器との嵌合縁は中心よりやや上部になる。（ｉ）は内周面の屈曲部に嵌合縁を形成する。（ｊ）は内周面の傾きがカップ容器の傾きより小の場合は内径が最も小になる中間点で嵌合部を形成し、カップ容器の傾きより大の場合は端面の内周縁に嵌合部を形成する。前記（ｇ）〜（ｊ）のいずれの場合も調整リングの端面の向きに係らず、カップ容器との嵌合状態は1種のみ形成され、調整リングの有無による２種類の状態を実現する。
【００２８】
第１の発明の、調整リングの断面が非対称になる場合の一実施形態を図２に示す。
図２（ａ）は、輪状の段差部１１０を設けた第１の発明と共通の保持体１と、端面中間部に段差部２１０を設けた調整リング２０１との組立て分解を示す斜視図である。
【００２９】
図２（ｂ）は上端面から下方の任意の位置に設けた傾斜のある段差２１０を挟んで内径が異なる２つの内周面２２０、２３０を形成した前記調整リング２０１の断面図を拡大して示したものである。
【００３０】
図２（ｃ）は前記調整リング２０１を保持体１に嵌合させて取付けた状態を示す斜視図である。
【００３１】
図３は前記調整リング２０１の端面の向きを変えて保持体１に嵌合させた場合にカップ容器との嵌合部が調整リング２０１の内周面上で移動する状況を示す断面図である。図３（ａ）は内径が大なる内周面２２０を上方にしてカップ容器３０３を収納した断面図である。前記カップ容器３０３の外周面は前記段差部２１０で内径が小なる内周面２３０側の内周円で嵌合し第１の嵌合部を形成している。
【００３２】
図３（ｂ）は内径が小なる内周面２３０を上方にしてカップ容器３０３を収納した断面図である。前記カップ容器３０３の外周面は前記調整リング２０１の直径が図３（ａ）同様に小なる内周面２３０側の端面を形成する内周縁で嵌合し第２の嵌合部を形成している。以後２つの異なる嵌合部のうち前記段差部に実現する嵌合部を第１の嵌合部とし、他を第２の嵌合部とする。
【００３３】
前記内径の異なる何れの端面を上方にした場合でも、カップ容器３０３と調整リング２０１との嵌合は内径が小なる内周面２３０の両端で実現し、嵌合部の直径は等しいまま嵌合の位置が前記内周面２３０上を端から他の端まで上下に移動している。嵌合位置の移動距離は前記調整リング２０１の内径が大なる内周面２２０側の端面（図（ａ）の場合では保持体１の開放端面に一致）と第１の嵌合部との距離になり、この移動距離の分だけカップ容器３０３の上下方向の高さ調整が可能になる。
【００３４】
図４は前記調整リング２０１を取外した状態の断面図を示すもので、図１（ｅ）と全く同様の結果である。前記調整リング２０１の厚み分直径が広がり、保持体１の開口端面の直径はホルダーとして最大の嵌合直径になるためカップ容器３０３は下方に大きく落ち込む様子を示している。
【００３５】
ここで、カップ容器３０３との嵌合の状態を前記図３（ａ）、図３（ｂ）及び図４の３つの状態から選択した場合にカップ容器の位置が変化する比較を１例として紹介する。使用した調整リングのサイズは外径９６ｍｍ、大なる内径９２．５ｍｍ、小なる内径９１ｍｍ、高さ２２ｍｍ、段差０．７５ｍｍ、サンプルのカップ食品はＡ社のワンタンで蓋部の直径１００ｍｍ、底部直径７８ｍｍ、高さ９８ｍｍとし、図３（ａ）、図３（ｂ）、図４の状態で順に測定した端面上方突出量はそれぞれ１３ｍｍ、２２ｍｍ、５ｍｍである。他社の容器の場合でも前記の値に近似した結果が得られる。以上の結果は同一のカップ容器を使用したものであり、サイズの異なるカップ容器を使用した場合には、前記の結果傾向は端面上方突出量の調整手段として利用できるものであり、ホルダー使用者は状況に応じた選択が可能である。なお、前記データは一例であり同一趣旨で調整リングの設定寸法を変えれば端面上方突出量のデータは異なる結果となる。
【００３６】
図５は嵌合部の位置が同一内径の内周面上を移動するだけではなく、嵌合位置と共に嵌合部内径も異なる状態が実現する調整リングの内周面の形状例を示す断面図である。（ａ）では保持体１に嵌合した調整リング２０１とカップ容器３０４が第１の嵌合部で接している。カップ容器の側面の傾斜角度は一般的に約８５度であり、内周面が垂直な調整リング２０１との間に斜線で示す領域２４０のように僅かに間隙が生じる。
【００３７】
図５（ｂ）は前記第１の嵌合部からカップ容器３０４の側面の傾斜角度より大なる角度の傾斜角度で下方の肉厚が増加するように内周面の内径を縮小し調整リング２０２を形成したもので、カップ容器３０４の側面とは接触しない程度の非常に小さな間隙を残して第１の嵌合部と接している。前記データ比較で使用した寸法値の調整リングを例にすると、内径が最小となる前記調整リング２０２の下端部分の肉厚増加適量は０．８５ｍｍで、直径としては約１．７ｍｍ小となり第２の嵌合部の直径は８９．６ｍｍとなる。
【００３８】
図５（ｃ）は調整リング２０２を上下反転させた状態を示すもので、カップ容器３０４とは上方端面の内周縁で嵌合しているが、肉厚を増加させた分だけ嵌合部内径は減少している。カップ容器の側面の傾斜はｔａｎ８５≒１１の急峻であり微妙に小さい内径差でも端面上方突出量は大幅に変化するため、嵌合部内径の最適値の決定はカップ食品ホルダー設計の重要ファクターの１つである。調整リング２０２の内周面に形成される第１の嵌合部と第２の嵌合部の内径寸法を予め特定の銘柄のカップ食品を目標に最適値を特定して反映させた調整リングを実現すると、流通する同型同寸法体系のカップ容器の大半の端面上方突出量を近似させ、使用者がカップ食品を食すに最適と思われる高さの狭い範囲内にカップ容器の頂部を収束させることが可能である。前記データをそのまま流用して端面突出量を提示するならば、その値は１４±１ｍｍの均衡した結果を示す。なおこの値も保持体及び調整リングの仕様を変更すると寸法設定毎に変動する値であり絶対的なものではない。
【００３９】
図６は上下で非対称の調整リングの断面の形状例を示す参考図である。何れも現実的に存在しうる形状例であり、使用した状況の中で結果として効果がみとめられる形状についてはアレンジした形状も含めて、既に図１〜図５までに示した形状と効果面では同列に値すると云う意味で参考図として示した。調整リングの内周面の傾斜角度がカップ容器の側面の傾斜角度より小の場合には、（ｑ）と（ｒ）で示すように断面の形状が非対称であっても嵌合部は1種だけになる場合もある。（ｒ）は（ｑ）を上下反転させた状態を示すもので、実現する嵌合は第２の嵌合部のみとなる。。破線はカップ容器の側面を示す。
【００４０】
第２の発明の一実施形態を図７に示す。
図７（ａ）は中心に向かって突出する小突起４を対面する内周面上端部に設けた保持体１０１と、上端から下端まで傾斜角度１０度で前記小突起４が摺動すべく溝５が上下点対称の形状で対面する外周面に一対設けられた調整リング２０３との組立て分解示す斜視図である。前記溝５の両端はそれぞれ前記調整リング２０３の端面で開放されていて、下方端部は前記小突起４の摺動始点になる。前記傾斜角度１０度は絶対的な角度ではなく任意でよいものとする。
【００４１】
図７（ｂ）は前記小突起４の形成部分を拡大した斜視図であり、保持体１０１の上部内周面の端部に上面が前記溝５の傾斜角度と一致するように形成され中心に向かって突設されている。小突起４と溝５は対で組み合わされて機能するため図中では１対が図示されているが、対を構成する数量は任意である。
【００４２】
図７（ｃ）は小突起４が溝５に係合して摺動する状態を示す斜視図であり前記溝５の透視部分を破線で示した。小突起４の視認を図中で容易にするためドット表示した。
【００４３】
図７（ｄ）は前記小突起４を前記溝５の下端部に合わせて嵌合させ調整リング２０３を反時計回りに押し下げながら回転させ任意の高さで止めた状態を示す斜視図であり、調整リングの高さは小突起の摺動可能範囲内で無段階に調整可能になる。
【００４４】
従って、調整リング自体に設定された固定の第１、第２の嵌合部の使い分けと調整リングの高さ調整を組み合わせることにより、使用者がカップ容器の高さ調整をする際の自由度を大幅に改善することが可能になる。
【００４５】
図８はミニサイズ用のカップ容器を保持可能にする交換用の第２の調整リングに関する説明図である。カップ容器の大盛サイズやミニサイズ専用の調整リングは標準サイズに準じて単純に寸法を変更すれば、それぞれの寸法体系にあった専用の調整リングを装着したホルダーの実現を可能にする。しかし、複数の異なる交換用のリングを具備することにより、標準サイズの保持体を共通のまま他の寸法体系に属するカップ容器の使用が可能になる。他の寸法体系に属するカップ容器に対応可能な交換用の調整リングには、第１の調整リングを装着する標準サイズ専用の保持体に嵌合させてミニサイズ用のカップ容器を保持可能にする第２の調整リング、大盛サイズ用のカップ容器を保持可能にする第３の調整リング、その他のサイズ用のカップ容器を保持可能にする第４の調整リングがあるが、先ず第２の調整リングについて説明する。第３の調整リングについては後記の蓋にも関連するアダプター的要素が強く、他の実施形態の中で蓋と押圧盤の後に併せて説明することにし、第４の調整リングについては第１〜３に準じるものとして省略する。
【００４６】
図８（ａ）は標準サイズの第１の調整リングの外径寸法を同一のまま内側に肉厚を大きくとり、内周面をミニサイズ用のカップ容器の寸法に合うように形成した一実施例を示す第２の調整リング２０４の断面図である。内周面は前記断面が非対称の調整リングの形状をそのままに形成している。第２の調整リング２０４は第１の発明で示した調整リングの内径をミニサイズ用のカップ容器が装着可能になるまで縮小したものである。
【００４７】
図８（ｂ）と（ｃ）はミニサイズ専用の保持体１０２と標準サイズ専用の保持体１０１にそれぞれの仕様に合った第１の調整リング２０５、２０３を嵌合した断面図を示すもので、（ｄ）には標準サイズ用の保持体１０１に前記第２の調整リング２０４を装着した断面図を示した。（ｅ）は（ｂ）、（ｃ）、（ｄ）に図示した調整リング２０５、２０３、２０４を同一縮尺のまま抽出して並べて図示したものである。上段から順にミニサイズ専用の調整リング２０５、交換用の第２の調整リング２０４、標準サイズ専用の調整リング２０３であり、格段の間には補助線を引き各調整リングの寸法関係を比較したもので、第２の調整リング２０４は標準サイズ専用の調整リング２０３の外径は同一のまま内周面をミニサイズ専用の調整リング２０５の内周面まで内径を縮小したものであることを示したものである。保持体１０１は共通のまま、標準サイズ用のカップ容器の場合には調整リング２０３を通常通りに装着し、ミニサイズ用の場合には第２の調整リング２０４と交換して使用する。前記第２の調整リング２０４は標準サイズ用の調整リング２０３と全く同感覚で使用可能である。
【００４８】
図８（ｆ）は保持体１０１、第２の調整リング２０４、ミニカップ容器３０５の組立て分解を示す斜視図である。
【００４９】
図９は調整リングの保持体に対する高さ調整の他の実施例を示すもので、（ａ）は図７（ａ）で小突起４が摺動する溝５に換えて溝の深さの略三角形の凹状面６を外周面に設けた調整リング２０６を示す。小突起は前記凹状面６を形成する上側壁面に係合する。（ｂ）は保持体１０４の上部内周面と調整リング２０７の外周面にそれぞれ螺子１２０、１３０を切った形状例を示す斜視図である。なお、高さ調整機構は従来技術の範囲内で実現可能であり図に示した方法に限定されないものとする。
「他の実施形態」
【００５０】
図１０は保持体に蓋を組み合わせた実施例を示す斜視図である。図１０（ａ）は保持体１０３の上部外周面に略三角形の凹状部６０１を設け、蓋７の対面する内周下端部に小突起４０１を中心に向かって突設してある。前記小突起４０１の上端面が保持体１０３の凹状部６０１の上壁面に係止しロック機能が実現する。本出願人は蓋体とホルダー本体の間にロック機構を持たせた実施例を特開２００６−３１５７６１で既に提案しているが、カップ食品ホルダーとしては蓋と同時に使用した方が実用上便利であり前記提案の中から引用した。
【００５１】
図１０（ｂ）は蓋７の内部に設けられた小突起４０１の蓋を裏返した方向から見た拡大図で、図１０（ｃ）は前記小突起４０１が保持体１０３の凹状部６０１に係止する状態を示す斜視図である。小突起４０１の視認を図中で容易にするためドット表示してある。
【００５２】
図１０（ｄ）は保持体１０３に蓋７を嵌合させた状態を示す斜視図である。蓋7に突設された小突起は、前記蓋７の内側底面がカップ容器の頂部を可能な高さまで押圧して停止する位置で前記凹状部６０１に係止してロックが完了する。この場合、収納するカップ容器の高さが一定であれば前記小突起４０１は常に同じ位置で係止するため蓋７の深さも一定値に設定できるが、カップ容器の高さにバラツキがあると蓋7の深さはバラツキの寸法分だけ保持体１０３と嵌合する往復領域を余分に必要とするため蓋の大型化に繋がる。
【００５３】
図１1は、カップ食品ホルダーに関係する必要な要素を全て組み込んだ一実施例であり、（ａ）は保持体１０５、調整リング２０３、カップ容器３０６、押圧盤８及び蓋７０１を組立て分解図として斜視図で示したものである。カップ容器３０６はホルダーの構成には直接関係しないので括弧で示した。基本的には図１０までの説明で網羅しているので不足分を追加として下記に説明する。
【００５４】
押圧盤８は頂部に円柱状の小突起４０３を突設した凸面状の押圧体であり押圧手段の一例として示したもので、凹面側は環状の縁部以外はカップ容器３０６と接触しないため、カップ容器頂部縁部３２０を効果的に押圧するものである。前記小突起４０３は通常は蓋７０１の頂部の中心に設けられた小孔７１０に圧入されて嵌合し固定される。前記特開２００６−３１５７６１の実施例では押圧盤８の設置部に弾性体を設けている。
【００５５】
カップ容器３０６を押圧盤８を介して上方から押圧すると蓋７０１の中心部周辺は前記押圧盤８の頂部に下方から突き上げられ僅かに盛り上がるように変形するが、この反作用で前記押圧盤８の凹面側外周縁部がカップ容器の頂部端面縁部３２０を環状に押圧し前記カップ容器の熱湯注入開口部３３０を強固に密封化する。
【００５６】
前記押圧盤８は、ホルダーの転倒若しくは移動中の落下など不測の事態発生時に衝撃でカップ容器の中身の流出を阻止するための押圧体である。また、蓋の内部に装着する部品であるため蓋の大型化に繋がる要素でもあるが、使用上の安全性の面から不可欠な部材である。本実施例では蓋の深さを少なくし小型化を図るため、蓋の変形による復元力を弾性体の復元力の代替として応用すべく樹脂製の押圧盤を使用した。但し、押圧盤８は材質や材料の厚みによってはカップ容器を押圧した時に変形し復元力を有する弾性体になり得るもので、その場合には押圧効果が増大する。
【００５７】
前記押圧盤８の頂部に突設した小突起４０３は蓋７０１の中心に明けられた小孔７１０に嵌入して固定され、頂部は前記蓋７０１から僅かに突出しており、前記押圧盤８に洗浄の必要が生じた時にはこの頂部を先の細い棒などで押して分離させる。
【００５８】
蓋７０１の内周下端部に突設された一対の小突起４０４は保持体１０５の上部外周面に設けられた凹状部６０１の傾斜上壁面に係止しロックする。
【００５９】
図１１（ｂ）は、カップ容器３０６を収納した保持体１０５に前記押圧盤８を固定した前記蓋７０１を被せて降下させ、前記押圧盤８の凹面側外周縁部が前記カップ容器３０６に接触した時点で止めた状態を示す断面図である。
【００６０】
図１１（ｃ）は（ｂ）の状態から前記蓋７０１を下方に押し下げながら時計回りに回転させてロックが完了した状態を示す断面図で、蓋７０１は上方に盛り上がるように変形していることを示すものである。蓋７０１の変形による盛り上がり量は約１ｍｍ程度であるが、材質や厚みによっても異なり上記の値は参考値とする。
【００６１】
図１１（ｄ）の押圧盤８０１は前記凸面状の押圧盤８の中心に突設した小突起４０３の周辺を円状の平面域８１０に形成し、より実用性を高めた蓋の一実施例を示すものであるが、前記平面域８１０は蓋８０１の表面積に対する割合が小さく全体的には凸面状と表現し得る形状である。
【００６２】
図１１（ｅ）のリング１０は押圧体の一実施例であり、蓋の底部に設置し、カップ容器の頂部端面を押圧するゴム或いはシリコン等の弾性を有する環状の押圧体である。
【００６３】
図１１（ｆ）は蓋自体の一部に押圧部を一体的に成形した押圧手段の一例を示すもので、蓋７０２の底部内側に壁面に沿って輪状に段差７２０を突設し、輪状の押圧部を形成したものである。蓋７０２を回転させながら下方に押して締め付けロックすると、前記輪状の押圧部７２０に力が集中し、カップ容器頂部の縁部を環状に強固に押圧する。
【００６４】
図１２は大盛サイズ用のカップ容器を保持可能にする交換用の第３の調整リングに関する説明図である。前記図８のミニサイズ用との大きな相違は蓋や押圧盤を標準サイズ用と共用することが不可能な点である。大盛サイズ用は標準サイズ用の寸法より大なため蓋と押圧盤を共用することは物理的に不可能である。図１２（ａ）は標準用の保持体１０５、調整リング２０３、蓋７０１及び押圧盤８０１で構成されるホルダーに標準サイズのカップ容器３０６を収納した状態を示した断面図である。
【００６５】
図１２（ｂ）は前記カップ容器３０６以外の部分はそのままにして大盛サイズのカップ容器３０７を破線にして差し替えた断面図を示すものである。調整リングは取外してあるがカップ容器３０７は保持体１０５に嵌合し、頂部は大きく保持体の端面から突出している。参考までに実例で値を示すならば端面突出量は約３３ｍｍである。
【００６６】
図１２（ｂ）の状態で蓋を閉めることを可能にするためにはカップ容器３０７の頂部の直径より大なる蓋が必要であり、そのためには保持体１０５の外径を見かけ上拡大する必要が生じる。図１２（ｃ）は保持体１０５の上部外周面に嵌合する第３の調整リング２０７の斜視図である。蓋７０１の内周下縁部と同様に小突起４０５を対面する位置に一対突設し、外周面には保持体１０５の上部外周面と全く同様な形状で蓋を係止させるための凹状部６０２を設けてある。因みに参考値として示すならば第３の調整リング２０７の外径寸法は大盛サイズのカップ容器３０７に被せることが可能な蓋の内径約１０８ｍｍである。
【００６７】
図１２（ｄ）は保持体１０５に第３の調整リング２０7を嵌合させ、見かけ上ホルダーを大きくした状態を示す斜視図である。前記第３の調整リング２０７を保持体１０５に蓋をする要領で小突起４０５を前記保持体１０５の凹上部６０１の上部壁面に摺動させながら前記第３の調整リング２０７の下部端面が取っ手９の上面に密着するまで時計回りに下降させながら回転させて係止させる。
【００６８】
図１２（ｅ）は標準サイズ用の保持体１０５が第３の調整リング２０７を使用することによって正常に大盛サイズ容器３０７を保持している状態を示す断面図である。押圧盤８０２および蓋７０３はサイズを大きくし、第３の調整リング２０７に係止してロックしている状態を示している。
【００６９】
特定の寸法体系にあるホルダーを基準に考える場合、より小なる寸法体系のカップ容器用の第２の調整リングは基準の寸法体系用の調整リングと同一の機能を有するが、より大なる寸法体系のカップ容器用の第３の調整リングは、カップ容器が保持体に嵌合する状態になるため内周面の形状の影響を受けることはなく、蓋を係合させるためのアダプターになる。
【００７０】
同型で同一寸法体系内のカップ容器の寸法のバラツキを調整するのが第１の調整リングであり、その寸法のバラツキが拡大、或いは縮小して第１の調整リングではカバーしきれない程度にまで到達した異なる寸法体系領域のカップ容器に対応するのが第２、第３の調整リングである。換言するならば、第２の調整リングは特定寸法に属する第１の調整リングの内径を変換し、第３の調整リングは前記特定寸法に属する保持体の外径を変換し、前記保持体を共通のまま他の特定寸法に属するカップ容器の保持を可能とする直径変換リングであり、又使用目的に応じて使い分けが可能な交換リングでもある。何れもホルダーを最大限に活用するために具備されるべき調整リングセットの構成要素である。
【００７１】
図１３は丼型の容器に適合するホルダーの斜視図であるが、カップ型に準じるものであり、詳細は省略する。図中１０６は保持体、２０８は調整リング、３０８はカップ容器、８０３は押圧盤、７０４は蓋を示す。
【００７２】
図１４は押圧体を使用する場合にあって、標準サイズとミニサイズの両方に共通して使用可能な押圧盤８０４の断面図の一例を示したものである。押圧盤は保持体の寸法体系に応じて蓋に嵌合固定される部材であり、本来寸法はそれぞれ独立して異なるが、凹面側の環状の縁部の内径をミニサイズ用に小さく設定すれば共通に使用可能となり、調整リングと同時に交換する煩わしさを回避することができる。大盛サイズを基準にした場合も同様であり、より小なる寸法体系との共有押圧盤として有用な手法である。
【００７３】
カップ食品ホルダーは、利用者が熱湯の満たされたカップ容器に直接触れないこと、又カップ容器不使用に比べ底面積が広いため安定性があることなどからカップ食品を食する際の使用は基本的に利便性と共に安全性を実現する補助具として高く推奨されるべき存在であるが、本発明では更に、カップ容器の外径寸法の極端なバラツキに対しては第１の調整リングの着脱による保持体開口部の直径調整で対応し、又カップ容器の高さのバラツキに対しては同じく第１の調整リングの取付け方向の反転で対応して、カップ容器の保持体開口端面からの突出量の均衡化を可能にし、カップ食品を食するに最適な環境を実現した。本出願人は前記特開２００９−３１５７６１の中で、カップ容器の特徴的押圧手段として弾性体の使用を提案したが、調整リングによるカップ容器の高さ調節機能は、前記押圧盤の設置に伴う蓋の深さの増加を相殺し最小限に抑えることにも寄与し、生活雑貨として要求されるホルダーの小型化に貢献するものである。又、寸法体系が異なるカップ容器に対しては第２、第３の調整リングを交換して装着することにより単一の保持体を共通にして利便性の向上を実現した。なお、ホルダーの有用性を考える場合、使用頻度の高い標準サイズ用を主体により小なるサイズ用と共にその調整リングの効能を享受し、より大なるサイズ用は頻度の低い使用機会に際し使用を可能とするアダプターであれば可とするか、或いは、仕様に際しては常に調整リングの効能を享受するため保管スペースの煩わしさを厭わず大盛サイズ用のホルダーを主体にするかは使用者の判断に委ねる問題であるが、何れにしても単一の保持体に交換可能な調整リングを使用の機会毎に使用者が状況に応じて選択する利用法は高い利便性を提供するものである。
【図面の簡単な説明】
【００７４】
【図１】第１の発明の調整リングの断面の形状が対称になる場合の一実施形態を示す斜視図で、（ａ）は保持体１と調整リング２の組立て分解を示す斜視図、（ｂ）は保持体１に調整リング２を嵌合させた斜視図、（ｃ）はカップ容器３を保持体１に収納した斜視図、（ｄ）は円筒形の調整リング２を保持体１に嵌合した状態でカップ容器３を収納した時の嵌合の状況を示す断面図、（ｅ）は調整リングを保持体から外した状態でカップ容器３を収納した時の嵌合の状況を示す断面図、（ｆ）は円筒形の調整リングの使い分けを示す断面図、（ｇ）、（ｈ）、（ｉ）、（ｊ）は断面が対称になる円筒形以外の断面図例。
【図２】第１の発明の調整リングの断面の形状が非対称になる場合の一実施形態を示す斜視図で、（ａ）は保持体１と調整リング２０１の組立て分解を示す斜視図、（ｂ）は調整リング２０１が段差部２１０を挟んで大なる内径の内周面２２０と小なる内径の内周面２３０で形成されていることを示す断面図、（ｃ）は保持体１に調整リング２０１を嵌合させた斜視図。
【図３】調整リング２０１の設置方向に応じて嵌合部が移動する状況を示す断面図で、（ａ）は内径が大なる内周面２２０を上方にしてカップ容器３０３を収納した断面図、（ｂ）は内径が小なる内周面２３０を上方にしてカップ容器３０３を収納した断面図。
【図４】調整リングを取外してカップ容器３０３を収納した状態の断面図。
【図５】嵌合位置と共に嵌合部内径も異なる状態が実現する調整リングの内周面の形状例を示す断面図で、（ａ）は保持体１に嵌合した調整リング２０１とカップ容器３０４が第１の嵌合部で接している状態を示す断面図、（ｂ）は肉厚を増加した後の調整リング２０２がカップ容器３０４と嵌合している状態を示す断面図、（ｃ）は調整リング２０２を上下反転させた状態を示す断面図。
【図６】（ａ）〜（ｐ）は断面が非対称の調整リングの断面の形状例を示す参考図。
【図７】第２の発明の一実施形態を示す斜視図で（ａ）は保持体１０１と調整リング２０３の組立て分解を示す斜視図、（ｂ）は小突起４の形成部分を拡大した斜視図、（ｃ）は小突起４が溝５に係合して摺動する状態を示す斜視図、（ｄ）は保持体１０１に嵌合した調整リング２０３を調整して高くした状態を示す斜視図。
【図８】ミニサイズ用のカップ容器を保持可能にする交換用の第２の調整リングに関する説明図で、（ａ）内周面をミニサイズの寸法に合うように形成した第２の調整リング２０４の断面図、（ｂ）と（ｃ）はミニサイズ用の保持体１０２と標準サイズ用の保持体１０１にそれぞれの寸法体系に合った調整リング２０５、２０３を嵌合した断面図、（ｄ）は標準サイズ用の保持体１０１に第２の調整リング２０４を嵌合した断面図、（ｅ）はミニサイズ用、標準サイズ用の調整リングと第２の調整リングとの比較を示す断面図、（ｆ）は保持体１０１、第２の調整リング２０４、ミニカップ容器３０５の組立て分解を示す斜視図。
【図９】調整リングの保持体に対する高さ調整の他の実施例を示す斜視図で、（ａ）は小突起が係止する略三角形の凹状面６を調整リング２０６の外周面に設けた例を示す斜視図、（ｂ）は保持体の上部内周面と調整リングの上部外周面に螺子を切った形状例を示す斜視図。
【図１０】保持体に蓋を組み合わせた実施例を示す斜視図で、（ａ）は保持体１０３と蓋７の組合せを示す斜視図、（ｂ）は小突起４０１を拡大した斜視図、（ｃ）は小突起４０１が略三角形状の凹状部６０１に係合して摺動する状態を示す斜視図、（ｄ）は保持体１０３に蓋７を嵌合させた状態を示す斜視図。
【図１１】カップ食品ホルダーに組み込まれる要素を全て明示した実施例の組立て分解を示す斜視図で、（ａ）は保持体１０５、調整リング２０３、カップ容器３０６、押圧盤８及び蓋７０１の分解組立てを示す斜視図、（ｂ）は押圧盤８の裏側外周縁部がカップ容器３０６に接触した時点で止めた状態を示す断面図、（ｃ）は（ｂ）の状態から前記蓋７０１を下方に押し下げてロックが完了した時点の状態を示す断面図、（ｄ）は凸面状の押圧盤の小突起周辺を円形に平面化した押圧盤８０１を示す斜視図、（ｅ）は環状の押圧体、（ｆ）は蓋７０２の底部の壁面に沿って輪状の押圧部７２０を突設した状態を示す断面図。
【図１２】大盛サイズ用のカップ容器を保持し蓋の嵌合を可能にする第３の調整リングに関する説明図で、標準サイズ用の保持体１０５、調整リング２０３、蓋７０１及び押圧盤８０１で構成されるホルダーに標準サイズのカップ容器３０６を収納した状態を示した断面図、（ｂ）はカップ容器３０６以外の部分はそのままにして大盛サイズのカップ容器３０７を破線にして差し替えた断面図、（ｃ）は保持体の上部外周面に嵌合する第３の調整リング２０７の斜視図、（ｄ）は保持体１０５に第３の調整リング２０７を嵌合させ、見かけ上ホルダーを大きくした状態を示す斜視図、（ｅ）は標準サイズ用の保持体１０５が第３の調整リング２０７を使用することによって正常に大盛サイズ容器３０７を保持している状態を示す断面図。
【図１３】丼型の容器に適合するホルダーの組立て分解を示す斜視図。
【図１４】標準サイズとミニサイズの両方に共通して使用可能な押圧盤１１９の断面図。
【符号の説明】
【００７５】
１……保持体
２……調整リング
３……カップ容器
【図１】
2008179368.tif 000003
【図２】
2008179368.tif 000004
【図３】
2008179368.tif 000005
【図４】
2008179368.tif 000006
【図５】
2008179368.tif 000007
【図６】
2008179368.tif 000008
【図７】
2008179368.tif 000009
【図８】
2008179368.tif 000010
【図９】
2008179368.tif 000011
【図１０】
2008179368.tif 000012
【図１１】
2008179368.tif 000013
【図１２】
2008179368.tif 000014
【図１３】
2008179368.tif 000015
【図１４】
2008179368.tif 000016